(57)【要約】【課題】リップ付きのリブに容易に取り付けることができて、簡単確実に型枠パネルの面ずれを調整することのできる型枠パネルの出入り調整具を提供する。【解決手段】本発明の型枠パネルの出入り調整具１は、パネル掛止具２と楔具３とからなり、パネル掛止具２は、背板部２１とその両側縁部から張り出して対向する一対の掛止片２２とを備え、一方の掛止片２２が隣接する型枠パネル９の一方のリップ９３に掛止し、他方の掛止片２２が隣接する型枠パネル９の他方のリップ９３に掛止するように形成されている。一方、楔具３は、パネル掛止具２をリップ９３に掛止した状態で、リップ９３と背板部２１との間に嵌挿される形状に形成されている。【選択図】図１
2005155225.tif 000002
【特許請求の範囲】
【請求項１】
堰板の縁部にリップ付きのリブが設けられてなる型枠パネルの隣接箇所に取り付けられる出入り調整具であって、
パネル掛止具と楔具とからなり、
パネル掛止具は、背板部と、背板部の両側縁部から張り出して対向する一対の掛止片とを備え、一方の掛止片が隣接する型枠パネルの一方のリップに掛止し、他方の掛止片が隣接する型枠パネルの他方のリップに掛止するように形成されてなり、
楔具は、上記パネル掛止具を隣接する型枠パネルに掛止した状態で、型枠パネルのリップと掛止具の背板部との間に嵌挿されるように形成されたことを特徴とする型枠パネルの出入り調整具。
【請求項２】
パネル掛止具は、一方の掛止片が背板部の上半部から張り出し、他方の掛止片が背板部の下半部から張り出して、各掛止片には側方から見て互いに向き合うように開口する切欠部が設けられたことを特徴とする請求項１に記載の型枠パネルの出入り調整具。
【請求項３】
楔具は、略Ｖ字状の側面形状を有し、正面及び背面のうち少なくとも片面が幅方向にわたって平坦になるように形成されたことを特徴とする請求項１に記載の型枠パネルの出入り調整具。
【請求項４】
パネル掛止具の背板部の内側中央部分に、幅方向に延びる突条部が突設されて、型枠パネルと掛止具との間に楔具を嵌挿したときに、上記突条部が楔具の平坦面と当接するようになされたことを特徴とする請求項３に記載の型枠パネルの出入り調整具。
【発明の詳細な説明】
【技術分野】
【０００１】
本発明は、型枠パネルの隣接箇所において、隣接する型枠パネルを同一面に保持するための出入り調整具に関する。
【背景技術】
【０００２】
鉄筋コンクリート構造体の壁部や基礎を構成する型枠は、通常、堰板となる型枠パネルを縦横方向に連設し、相対する型枠パネル同士をセパレータやフォームタイ等を組み合わせた緊結具で所定間隔に保持して構成される。併せて、型枠パネルの外側にバタ材等を当てがい、クランプで締結するなどして、打設されるコンクリートの圧力による型枠の変形を防止している。
【０００３】
本出願人は、特に基礎や擁壁、半地下構造物の壁部などの型枠工事において、図３に示すようなメタルフォーム（鋼板製パネル）を利用している。このメタルフォーム９は、平坦な鋼板からなる堰板９１の裏面縁部に、縦方向には矩形断面の縦リブ９２を設け、横方向にはリップ９３を有する横リブ９４を設けたものである。縦リブ９２には、予めピン孔が形成されおり、Ｕ字状のクリップ９５と一体化された連結ピン９６を、隣接させたメタルフォーム９の両縦リブ９２に挿通させて、クリップ９６で両縦リブ９２を挟み込むことにより横方向に連結している。
【０００４】
縦方向の支保については、図示は省略するが、メタルフォーム９の外側に単管等からなる縦バタを適宜間隔で当てがい、その外側に横バタを２本ずつ対にして当てがった後、先端がフック状になった締結ボルトを連結ピン９６に引っ掛けて、この締結ボルトにクランプを締結することにより、横バタ及び縦バタをメタルフォーム９に圧接させて建ちや出入りを調整している。
【０００５】
しかしながら、このような支保構造では、縦バタや横バタが多数必要になって支保作業に手間がかかるとともに、連結ピンの位置にしか締結ボルトを取り付けられないので、メタルフォームの隣接箇所で面ずれが生じやすくなるという不都合がある。
【０００６】
この種のメタルフォームの面ずれを調整する金具類としては、特許文献１、２等にも、リブにフックボルトを係止し、クランプでバタ材を締め付けるようにしたものが開示されているが、メタルフォームのリブにリップが設けられていると、この種のフックボルトをリブに取り付けることができないという問題がある。
【特許文献１】実開平５−４７２１４号公報
【特許文献２】特開平１０−８２１７４号公報
【発明の開示】
【発明が解決しようとする課題】
【０００７】
本発明は上記のような事情に鑑みてなされたもので、その目的は、リップを有するリブに対して任意の位置に容易に取り付けることができ、簡単な操作で確実に、隣接する型枠パネルの面ずれを調整することのできる、型枠パネルの出入り調整具を提供することにある。
【課題を解決するための手段】
【０００８】
上記した目的を達成するため、本発明の型枠パネルの出入り調整具は、堰板の縁部にリップ付きのリブが設けられてなる型枠パネルの隣接箇所に取り付けられる出入り調整具であって、パネル掛止具と楔具とからなり、パネル掛止具は、背板部と、背板部の両側縁部から張り出して対向する一対の掛止片とを備え、一方の掛止片が隣接する型枠パネルの一方のリップに掛止し、他方の掛止片が隣接する型枠パネルの他方のリップに掛止するように形成されてなり、楔具は、上記パネル掛止具を隣接する型枠パネルに掛止した状態で、型枠パネルのリップと掛止具の背板部との間に嵌挿されるように形成されたことを特徴とする。
【０００９】
この発明によれば、対をなす掛止片をそれぞれ隣接する型枠パネルのリップに掛止し、リップと背板部との間に楔具を嵌挿することによって、隣接する型枠パネルを、面ずれしないように揃えることができる。このパネル掛止具は、リップが設けられたリブの任意の位置に掛止することができるので、型枠パネルの出入り調整を容易に行うことができる。
【００１０】
パネル掛止具の形態としては、一方の掛止片が背板部の上半部から張り出し、他方の掛止片が背板部の下半部から張り出して、各掛止片には側方から見て互いに向き合うように開口する切欠部が設けられたものとするのが合理的である。
【００１１】
また、楔具の形態としては、略Ｖ字状の側面形状を有し、正面及び背面のうち少なくとも片面が幅方向にわたって平坦になるように形成されたものとするのが合理的である。
【００１２】
かかる形態であれば、パネル掛止具、楔具のいずれも、一枚の板片を折曲加工して容易に製作することができるので、製作費も安価になり、かつ使い勝手がよくて耐久性も得られる。
【００１３】
また、パネル掛止具の背板部の内側中央部分には、幅方向に延びる突条部が突設されて、型枠パネルと掛止具との間に楔具を嵌挿したときに、上記突条部が楔具の平坦面と当接するようになされるのが好ましい。このような構成を採用すれば、楔具の嵌挿によって作用する応力が、隣接する型枠パネルの両リップに対して均等に加わるので、隣接する型枠パネルの出入りを精度良く調整することができる。
【発明の効果】
【００１４】
上述のように構成される本発明の型枠パネルの出入り調整具は、バタ材を介さずに直接、型枠パネルの隣接箇所に取り付けることができ、その取り付け位置も任意に選択することができる。また、本発明の型枠パネルの出入り調整具は、型枠パネルのリップに掛止するパネル掛止具と、掛止したパネル掛止具の内側に嵌挿する楔具とによって構成されるので、着脱等の取り扱いが極めて簡単であり、ボルト・ナットの螺合など面倒な操作は要しない。
【００１５】
したがって、型枠の建て込み状態に応じて適宜の位置に必要なだけ、しかも迅速に配置することが可能になり、型枠パネルの出入り調整作業を格段に効率化することができる。
【発明を実施するための最良の形態】
【００１６】
以下、本発明の実施の形態について図を参照して説明する。
【００１７】
図１〜図２は、本発明の型枠パネルの出入り調整金具の実施形態と、その使用状態を示す。例示の形態における型枠パネルは、図３に示したメタルフォーム９と同じもので、横リブ９４にリップ９３が設けられている。このメタルフォーム９の上下方向の隣接箇所に本発明の出入り調整具１を取り付けて、上下のリップ９３を面一に保持することにより、メタルフォーム９の面ずれをなくそうとするものである。
【００１８】
出入り調整具１は、パネル掛止具２と楔具３とを対にして構成される。
【００１９】
パネル掛止具２は、例えば鋼板等を折曲加工して形成される部材で、正面視略矩形の背板部２１と、背板部２１の両側縁部から同方向に張り出して対向する一対の掛止片２２とを備えている。例示の形態では、一方の掛止片２２が背板部２１の上半部から張り出し、他方の掛止片２２が背板部２１の下半部から張り出して、側方から見たとき、両掛止片２２の間にはメタルフォールの横リブ９４を２枚重ねた厚さよりもやや大きいクリアランスＣが確保されるようになっている（図２参照）。
【００２０】
各掛止片２２には、側方から見て互いに向き合うように切欠部２３が形成されている。この切欠部２３は、高さＨがメタルフォーム９のリップ９３の高さよりもやや大きく、奥行きＤがリップ９３の厚みに数ｍｍ程度の調整代を加えた寸法に設定されている。そして、一方の切欠部２３が上段のリップ９３に対して上方から、他方の切欠部２３が下段のリップ９３に対して下方から、それぞれ掛止される。切欠部２３をリップ９３に掛止する作業は、パネル掛止具２をリップ９３に向かって捻るように回し掛けることで、容易に行うことができる。
【００２１】
パネル掛止具２がリップ９３に掛止されると、リップ９３と背板部２１との間に楔具３が嵌挿される。楔具３は、略Ｖ字状の側面形状を有し、横幅がパネル掛止具２の背板部２１の横幅よりもやや小さくなるように形成されている。例示の楔具３は、鋼板を上面視溝形に折曲加工して形成されたもので、正面（背板部２１に当接する面）３１が横幅方向にわたって平坦になり、両側縁部３２がリップ９３の表面に当接して、上下のリップ９３を面一に揃えるように形成されている。さらに、例示の形態では、楔具３を嵌挿したときに作用する応力が上下のリップ９３に対して均等に加わるように、パネル掛止具２の背板部２１の内側中央部分に幅方向に延びる突条部２４を突設して、この突条部２４が楔具３の正面３１と当接するようになされている。
【００２２】
こうして、隣接するメタルフォーム９の両リップ９３に掛止したパネル掛止具２と、パネル掛止具２の内側に嵌挿する楔具３とによって、両リップ９３の面を揃えることにより、隣接するメタルフォーム９の出入りを精度良く調整することができる。楔具３は、ハンマー等で軽く打込むだけで確実に嵌挿され、またその抜き取りも容易である。メタルフォーム９が左右方向に隣接する箇所において、メタルフォーム９の縦リブにリップが設けられていれば、パネル掛止具２の掛止方向や楔具３の嵌挿方向を９０度回転させることにより、全く同様にして出入り調整を行うことができる。
【００２３】
なお、楔具３の形状ついては上記実施形態に限定されるものではなく、パネル掛止具２とリップ９３との間に好適に嵌挿されうる形態であれば適宜変形可能である。また、楔具３の材質も鋼板に限定されるものではなく、例えば木材等によって形成することもできる。
【図面の簡単な説明】
【００２４】
【図１】本発明の実施形態に係る型枠パネルの出入り調整具と、その使用状態を示す斜視図である。
【図２】同じく、側面図である。
【図３】本発明が適用される型枠パネルの斜視図である。
【符号の説明】
【００２５】
１    出入り調整具
２    パネル掛止具
２１  背板部
２２  掛止片
２３  切欠部
２４  突条部
３    楔具
９    メタルフォーム（型枠パネル）
９１  堰板
９３  リップ
９４  横リブ
【図１】
2005155225.tif 000003
【図２】
2005155225.tif 000004
【図３】
2005155225.tif 000005